(57)【特許請求の範囲】
【請求項１】
内部に中詰材を収容可能なメッシュ状の袋本体と、前記袋本体の開口部を開閉する口絞りロープと、前記袋本体の上部の網目に挿通して取り付けた無端構造の吊りロープとを具備し、前記袋本体が袋本体の下半で定量の中詰材を収容可能な収容部と、前記袋本体の上半で中詰材を収容しない未収容部とからなる土木工事用袋体であって、
前記未収容部の一部で、吊りロープの下方位置に中間口絞りロープを取り付け、
前記吊りロープの吊上げ時に、中間口絞りロープを取り付けた未収容部の一部にくびれを形成するように構成したことを特徴とする、
土木工事用袋体。
【請求項２】
前記くびれを境にして未収容部の下半に中詰材の天端面の周縁部を包持可能な肩部を形成すると共に、未収容部の上半に首部を形成し、該首部に口絞りロープと吊りロープとを取り付けたことを特徴とする、請求項１に記載の土木工事用袋体。
【請求項３】
前記吊りロープの吊上げ時に、未収容部の首部の吊り角度が肩部の吊り角度より小さい関係にあることを徴とする、請求項２に記載の土木工事用袋体。
【請求項４】
前記吊りロープの吊上げ時に、未収容部の首部の吊り角度が、未収容部に中間口絞りロープを取り付けないで吊上げたときの袋本体の頂部の吊り角度より小さい関係にあることを徴とする、請求項２または３に記載の土木工事用袋体。
【請求項５】
前記吊りロープが口絞りロープと中間口絞りロープの間に位置することを特徴とする、請求項２に記載の土木工事用袋体。
【請求項６】
中詰材を収容した土木工事用構造体であって、
前記請求項１乃至５の何れか一項に記載の土木工事用袋体と、
前記土木工事用袋体に収容した中詰材とを具備し、
中間口絞りロープと、中間口絞りロープの取付位置を境にして未収容部の下半に形成した肩部とにより中詰材の天端面の周縁部を包持したことを特徴とする、
土木工事用構造体。
【発明の詳細な説明】
【技術分野】
【０００１】
本発明は河川、海洋または陸上において、根固工、護岸工、仮設基盤工等の各種土木工事に使用可能な土木工事用袋体および土木工事用構造体に関する。
【背景技術】
【０００２】
土木工事用袋体に中詰材を収容した土木工事用構造体は周知である。
一般的な土木工事用袋体は、メッシュ状のネット生地で製作した袋本体と、袋本体の開口部の近くの網目に周回させて取り付けた無端構造の吊りロープと、袋本体の開口部の口開きを防止する口絞りロープとを具備している（特許文献１）。
袋本体は全体が均質強度と均一寸法の網目を有していて、中詰材の容量（１〜４t）に応じて外形寸法が異なる袋本体を使い分けしている。
【０００３】
図８を参照して特許文献１に記載の土木工事用袋体５０を使用した土木工事用構造体の製造方法について説明する。
吊りロープ５２付きの袋本体５１を大きく口開きして型枠４０内に収容した状態で、袋本体５１の内部に中詰材３０を投入する。
中詰材３０の投入を終えたら、袋本体５１の網目に挿通してある吊りロープ５２の途中を袋本体５１の複数箇所からループ状に引出し、吊りロープ５２の複数箇所をクレーン等で吊上げて型枠４０から取り出す（図８(Ａ)，（Ｂ））。
この際、軽く吊上げた状態の袋本体５１の頂部または吊りロープ５２の根元部に口絞りロープ５３を巻き付けて開口部を閉じる。
完成した土木工事用構造体５０を所定の現場へ運搬移動して敷設する（図８(Ｃ)）。
【０００４】
完成した土木工事用構造体５０を現場へ敷設すると中詰材３０の全体が水平方向に広がり、所望の高さを確保し難いという難点がある。
【０００５】
特許文献２には、袋本体の胴部に周回させて取り付けた補強帯により中詰材の高さを一定に規制することが開示されている。
特許文献３には、中詰材の収容後に吊りロープを吊上げた状態で、中詰材の天端付近に取り付けた調整ロープの長さ調整を行うことで中詰材を収容した袋本体の収容部の高さと外周寸法を調整することが開示されている。
【０００６】
特許文献４には、吊りロープの挿通部位の網目寸法のみを他の部位より大きく編成することで、吊りロープの吊上げ時に吊りロープを挿通した網目の引き裂きを防止した土木工事用袋体が開示されている。
【先行技術文献】
【特許文献】
【０００７】
【特許文献１】特開２０００−１８２８号公報
【特許文献２】特開平１１−５０４２８号公報
【特許文献３】特開２０１６−１９４２１６号公報
【特許文献４】特許第６１８８１８４号公報
【発明の概要】
【発明が解決しようとする課題】
【０００８】
従来の土木工事用袋体または土木工事用構造体には次の幾つかの問題点がある。
＜１＞特許文献１に記載の土木工事用袋体５０は、中詰材３０の収容が袋本体５１の全容積の１／２程度であり、残りの未充填領域のネット生地は自由な変形が可能である。
そのため、土木工事用構造体の転地時に、袋本体５１の内部で中詰材３０が自由に動いてしまいネット生地に摩耗または切創に起因した破れが生じ易い。
＜２＞袋本体の下半に補強帯を取り付けた特許文献２に記載の土木工事用袋体は、袋本体の下半に収容した中詰材の側面を締め付けるだけであり、天端(上面)に位置する中詰材の自由な動きを規制できる構造になっていない。
しかもこの土木工事用袋体は、袋本体の上半の未収容領域の面積が大きいため、転地時や段積み時等において、天端の中詰材が補強帯を簡単に乗り越えてネット生地に破れが生じ易い。
＜３＞袋本体に調整ロープを取り付けた特許文献３に記載の土木工事用袋体は、調整ロープが中詰材を収容した袋本体の収容部の高さと外周寸法の調整機能を有するだけで、天端(上面)に位置する中詰材の自由な動きを規制できる構造になっていない。
そのため、転地時等に天端の中詰材が転がり落ちて未収容領域のネット生地が破れ易い。
＜４＞中詰材の充填量を変えずに中詰材の自由な動きを規制する方法として、袋本体の外形寸法を小さくすることが考えられる。
袋本体の外形寸法を小さくすれば袋本体の未充填領域の面積が減り、理論上は中詰材の自由な動きを規制できるが、実際には袋本体の外形寸法を小さくすると、中詰材の充填作業がし難くなるだけでなく、中詰材が漏れ出ないように袋本体の開口部を小さく絞り込む作業が非常に困難となる。
＜５＞従来の土木工事用袋体は、袋本体の網目が均一寸法であるため、吊りロープを吊上げるときに吊りロープを挿通した網目が横向きに引っ張られて網目を囲む編糸が引き裂かれて切れてしまう問題、いわゆる股裂き問題が生じ易い。
＜６＞吊りロープによる網目の引き裂き問題を回避するには、図８（Ｂ）に示した未収容領域の吊り高さＨ０を長くして袋本体５１の頂部の吊り角度θ０を小さくすることが知られている。袋本体５１の頂部の吊り角度θ０が小さくなれば吊りロープ５２を挿通した網目にかかる引裂力を小さく抑えられる。
その反面、未収容領域の吊り高さＨ０を長くすると、袋本体５１の外形寸法が大きくなってコストが嵩むうえに、袋本体３０内で中詰材が動き易くなり上記した＜１＞の問題が生じ易くなる。
このように従来の土木工事用袋体は、製造コストの問題と袋本体の損傷問題を同時に解決することができなかった。
＜７＞吊りロープによる網目の引き裂き問題を回避する他の手段としては、吊りロープの挿通部位の網目寸法のみを他の部位より大きく編成した特許文献４に記載の土木工事用袋体を使用することが知られている。
部分的に網目寸法を変えてネット生地を製作するには、高度な製造技術を必要とするためにコストが嵩む。
＜８＞中詰材を収容した袋本体の外周を縦横方向に向けて複数のロープやベルトで結束すれば、中詰材の自由な動きを完全に規制して袋本体の損傷問題を解消できるが、中詰材の全体を強固に締め付けると土木工事用構造体が本来有していた屈撓性が犠牲になる。
このように従来の土木工事用袋体は、中詰材に起因した袋本体の損傷問題と屈撓性の両立が困難であった。
【０００９】
本発明は以上の点に鑑みて成されたもので、その目的とするところは、中詰材に起因した袋本体の損傷問題と、吊りロープの吊上げ時における袋本体の網目の引き裂き問題を同時に解消しつつ、ネット生地の使用量を抑えて土木工事用袋体の製造コストを低減できる、土木工事用袋体および土木工事用構造体を提供することにある。
さらに本発明の他の目的は、中詰材の大きな転動を抑制しつつ、敷設現場の不陸を吸収できる程度の屈撓性を確保できる土木工事用袋体および土木工事用構造体を提供することにある。
【課題を解決するための手段】
【００１０】
本発明は、内部に中詰材を収容可能なメッシュ状の袋本体と、前記袋本体の開口部を開閉する口絞りロープと、前記袋本体の上部の網目に挿通して取り付けた無端構造の吊りロープとを具備し、前記袋本体が袋本体の下半で定量の中詰材を収容可能な収容部と、前記袋本体の上半で中詰材を収容しない未収容部とからなる土木工事用袋体であって、前記未収容部の一部で、吊りロープの下方位置にに中間口絞りロープを取り付け、前記吊りロープの吊上げ時に、中間口絞りロープを取り付けた未収容部の一部にくびれを形成するように構成した。
本発明の他の形態において、前記くびれを境にして未収容部の下半に中詰材の天端面の周縁部を包持可能な肩部を形成すると共に、未収容部の上半に首部を形成し、該首部に口絞りロープと吊りロープとを取り付ける。
本発明の他の形態において、前記吊りロープの吊上げ時に、未収容部の首部の吊り角度が肩部の吊り角度より小さい関係にある。
本発明の他の形態において、前記吊りロープの吊上げ時に、未収容部の首部の吊り角度が、未収容部に中間口絞りロープを取り付けないで吊上げたときの袋本体の頂部の吊り角度より小さい関係にある。
本発明の他の形態において、前記吊りロープが口絞りロープと中間口絞りロープの間に位置している。
本発明は、中詰材を収容した土木工事用構造体であって、前記した何れかの土木工事用袋体と、前記土木工事用袋体に収容した中詰材とを具備し、中間口絞りロープと、中間口絞りロープの取付位置を境にして未収容部の下半に形成した肩部とにより中詰材の天端面の周縁部を包持するように構成する。
【発明の効果】
【００１１】
本発明は少なくともつぎのひとつの効果を奏する。
＜１＞中間口絞りロープを取り付けた袋本体の未収容部の一部にくびれを形成するだけで、未収容部の吊り高さを小さくしつつ、吊りロープを挿通した袋本体の頂部の吊り角度を小さくできる。
したがって、袋本体の製作に要するネット生地の使用量を削減して袋本体を低コストに製作できて、吊りロープを挿通した網目の引き裂きも確実に抑止できる。
＜２＞袋本体と中間口絞りロープの組み合わせにより、中詰材の全体を包持することができる。
したがって、土木工事用構造体の製作時、転地時および敷設後において、袋本体の包持作用により中詰材の自由な動きを抑制できるので、中詰材の自由な動きに起因したネット生地の破れを効果的に軽減できる。
＜３＞中間口絞りロープが未収容部の肩部と協働して中詰材の天端面の周縁部を包持するので、中詰材の崩れ落ちも効果的に抑制できる。
＜４＞中間口絞りロープが未収容部の肩部と協働して中詰材のこぼれ出しを抑制するので、開口部に最も近い位置に設けた口絞りロープの負担を著しく軽減できる。
そのため、口絞りロープを安価な低強度ロープで代用することも可能であり、口絞りロープの取付作業と口絞り作業を簡易化できる。
＜５＞中詰材の包持性と、敷設現場の不陸を吸収できる程度の屈撓性の併有が可能な土木工事用袋体を提供できる。
【図面の簡単な説明】
【００１２】
【図１】土木工事用構造体の斜視図
【図２】土木工事用構造体を構成する土木工事用袋体の側面図
【図３Ａ】土木工事用構造体の製作方法の説明図であって、（Ａ）は型枠内にセットした土木工事用袋体内に中詰材を投入する工程までの説明図、（Ｂ）は中間口絞りロープを用いて袋本体の未収容部の一部を縮径する工程の説明図
【図３Ｂ】土木工事用構造体の製作方法の説明図であって、（Ｃ）は土木工事用構造体の吊上げ工程の説明図、（Ｄ）は完成した土木工事構造体の敷設時の説明図
【図４】土木工事用構造体の吊上げ前における土木工事用袋体の平面図
【図５】中間口絞りロープによる未収容部の吊り角度の関係の説明図で、（Ａ）は中間口絞りロープを具備しない対比形態のモデル図、（Ｂ）は中間口絞りロープを用いた本発明のモデル図
【図６】中詰材の全体を袋本体で締め付けた対比形態のモデル図
【図７】着床させた土木工事構造体の特性を説明するためのモデル図
【図８】従来の土木工事用袋体を用いた土木工事用構造体の製作方法の説明図
【発明を実施するための形態】
【００１３】
以下に図面を参照しながら本発明について説明する。
【００１４】
＜１＞土木工事用構造体
図１，２を参照して説明すると、土木工事用構造体１０は、土木工事用袋体２０（以下「袋体２０」）と、袋体２０に収容した中詰材３０とよりなる。
【００１５】
＜２＞袋体
袋体２０は、中詰材３０を充填するメッシュ状の袋本体２１と、袋本体２１の開口部２２の最も近い位置に取り付けた口絞りロープ２６と、袋本体２１の開口部２２の近くで、口絞りロープ２６の下方に取り付けた無端構造の吊りロープ２７と、袋本体２１の開口部２２から離れた位置で、吊りロープ２７の下方に取り付けた中間口絞りロープ２８とを具備する。
３本の各ロープ２５〜２７は、袋本体２１に対して開口部２２から底部２３側へ向けて、口絞りロープ２６、吊りロープ２７、中間口絞りロープ２８の順序で取り付けてある。
【００１６】
＜２．１＞袋本体
袋本体２１は開口部２２と底部２３とを有するネット生地製の有底袋である。
袋本体２１は中詰材３０を収容する収容部２４と、中詰材３０を収容しない未収容部２５とからなる。
【００１７】
＜２．１．１＞ネット生地
本発明ではネット生地の無駄を減らすため、中詰材３０の収容量(例えば１ｍ３〜４ｍ３)に応じて製作した袋本体２１を使用し、袋本体２１は中詰材３０の収容量に対応した必要最小面積のネット生地を用いて製作する。
袋本体２１のネット生地としては、例えばポリエステル（１５００ｄ／２０本、強度１００ｋｇｆ／２脚、または破断伸度５０％）等の合成繊維糸を二重に編成した極太ラッセル網地を使用できる。
ネット生地の網目はその展開形状が四角形または六角形を呈していて、全体が均一の網目である。網目は中詰材３０が抜け出ない寸法に設定してあり、一般的な網目寸法は２５〜５０ｍｍである。
【００１８】
＜２．１．２＞袋本体の収容部と未収容部
本発明では袋本体２１に中詰材３０の収容範囲を収容部２４と定義し、収容部２４の真上で中詰材３０の未収容範囲を未収容部２５と定義する。
さらに中間口絞りロープ２８の取付位置を境にして未収容部２５の下半を肩部２５ａ、未収容部２５の上半を首部２５ｂと定義して説明する。
首部２５ｂの上部に開口部２２を形成し、開口部２２の周囲に口絞りロープ２６と吊りロープ２７を予め取り付けておく。
【００１９】
＜２．２＞口絞りロープ
口絞りロープ２６は吊りロープ２７の上方に位置し、袋本体２１の開口部２２を開閉するためのロープであり、開口部２２に近い位置の網目に挿通して取り付ける。
口絞りロープ２６を吊りロープ２７の上方に位置させたのは、吊りロープ２７の影響を受けずに開口部２２を閉じるためと、開口部２２を囲んだネット生地の収束箇所が袋本体２１の上方へ出っ張るのを回避するためである。
口絞りロープ２６を網目に挿通するときに適宜目飛ばしを行うと、口絞りロープ２６の取付作業性と、開口部２２の閉鎖性がよくなる。
【００２０】
＜２．３＞吊りロープ
吊りロープ２７は無端構造のロープであり、口絞りロープ２６と中間口絞りロープ２８の間の網目に挿通して取り付けてある。
【００２１】
＜２．４＞中間口絞りロープ
中間口絞りロープ２８は未収容部２５の一部にくびれを形成して中詰材３０を包持する機能と口絞りロープ機能を併有した複合ロープである。
中間口絞りロープ２８は未収容部２５の中間部、すなわち吊りロープ２７の取付位置と中詰材３０の天端との間の網目に挿通して取り付ける。
【００２２】
中間口絞りロープ２８を取り付けて未収容部２５の一部にくびれを形成するのは、吊りロープ２７の吊上げ時に袋本体２１（首部２５）の頂部の吊り角度を小さくして吊りロープ２７を挿通した網目の引き裂きを防止するためと、土木工事用構造体１０の敷設後に未収容部２５の肩部２５ａで中詰材３０の天端面の周縁部を弾力的に包持するためである。
【００２３】
未収容部２５に対する中間口絞りロープ２８の取付高さとくびれ寸法（くびれ径）を選択することで、袋本体２１の頂部の吊り角度、未収容部２５の肩部２５ａによる中詰材３０の天端面の周縁部の包持面積、および中間口絞りロープ２８の負担荷重を調整できる。
中間口絞りロープ２８の取付高さとくびれ寸法は、袋本体２１の外形寸法と中詰材３０の収容量等を考慮して適宜選択する。
【００２４】
＜３＞中詰材
中詰材３０は、例えば玉石等の自然骨材、コンクリートガラ、各種廃棄物の焼成体等を使用できる。
根固工に使用する場合、直径１５０ｍｍ程度の中詰材３０を使用するが、中詰材３０の大きさは使途に応じて適宜選択する。
【００２５】
［土木工事用構造体の製作方法］
つぎに図３Ａ、図３Ｂを参照しながら袋体２０を使用した土木工事用構造体１０の製作方法について説明する。
【００２６】
＜１＞袋本体のセット（図３Ａ（Ａ））
上下を開放し、逆円錐台形（すり鉢形）を呈する型枠４０を準備する。
型枠４０の内部に袋本体２１を収容する。大きく口開きした袋本体２１の開口部２１近くを外方へ折り返して型枠４０の上口へ被せる。
【００２７】
＜２＞中詰材の投入（図３Ａ（Ａ））
バックホウ等の重機を用いて袋本体２１に所定量の中詰材３０を投入する。
【００２８】
＜３＞中間口絞りロープの絞り込み（図３Ａ（Ｂ））
中詰材３０の投入を終えたら、型枠４０内にセットしたまま、未収容部２５に取り付けた中間口絞りロープ２８を収容部２３の径より小さくなるように所定の周長に絞り込み、中間口絞りロープ２８の両端が容易に解けないように結束等で固定する。
上記した中間口絞りロープ２８の「所定の周長」とは、土木工事用構造体１０の完成後に吊りロープ２７を挿通した網目の引き裂き防止機能と、未収容部２５の肩部２５ａによる中詰材３０の天端面の包持機能を発揮し得るくびれの周長を意味する。
中間口絞りロープ２８の絞込み作業は未収容部２５が弛んだ状態で行うので、小さな力で絞り込みができる。
なお、中間口絞りロープ２８は予め袋本体２１に取り付けておいてもよいし、中詰材３０の投入後に現場で袋本体２１に後付けしてもよい。
【００２９】
＜４＞口絞りロープの絞込み（図４）
未収容部２５が弛んだ状態で、口絞りロープ２６を絞り込んで袋本体２１の開口部２２を閉じる。
口絞りロープ２６が吊りロープ２７の上方に位置するので、吊りロープ２７の影響を受けずに開口部２２を閉じることができる。
【００３０】
なお、図４では開口部２２の位置を示すために開いた状態で示しているが、実際には内部の中詰材３０が漏出しない程度まで開口部２２を閉じる。
袋本体２１の開口部２２を閉じた後、解けないように口絞りロープ２６の引き出し部分を結んでおく。
なお、口絞りロープ２６と中間口絞りロープ２８の絞り作業はどちらを先に行ってもよい。
【００３１】
＜５＞脱型（図３Ｂ（Ｃ））
袋本体２１の網目に挿通した吊りロープ２７の途中を袋本体２１の複数箇所（例えば６箇所）からループ状に引出し、引き出した吊りロープ２７の複数個所をクレーン等のフック２９に吊り掛ける。
吊りロープ２７を吊上げて型枠４０から取り出すことで土木工事用構造体１０の製作を完了する。
完成した土木工事用構造体１０は所定の現場へ運搬移動して敷設する（図３Ｂ（Ｄ））。
【００３２】
［土木工事用構造体の特性］
つぎに土木工事用構造体１０の主要な特性について説明する。
【００３３】
＜１＞未収容部の吊り角度
図５を参照して中間口絞りロープ２８による未収容部２５の吊り角度について説明する。
図５（Ａ）は中間口絞りロープ２８を設けずに吊りロープ２７を通じて袋本体２１を吊上げた対比形態を示し、（Ｂ）は未収容部２５の一部に中間口絞りロープ２８を取り付けて吊上げた本発明の形態を示している。
図５の（Ａ）と（Ｂ）で示した袋本体２１は同一寸法であり、中詰材３０の収容量も同一とする。
【００３４】
図５(Ａ)に示した対比形態においては、中間口絞りロープ２８を設けず吊りロープ２７を通じて袋本体２１を吊上げたときの吊り角度をθ１、未収容部２５の吊り高さをＨ１とする。
【００３５】
図５(Ｂ)に示した本発明の形態では、吊りロープ２７を吊上げると、袋本体２１の未収容部２５の全体が均一な円錐形になろうとするが、中間口絞りロープ２８が未収容部２５の拡径を規制するために、未収容部２５の一部にくびれができる。
未収容部２５の一部にくびれができることで、未収容部２５に首部２５ｂの吊り角度θ２と、肩部２５ａの吊り角度θ３のふたつの吊り角度ができる。
【００３６】
これら複数の吊り角度θ１〜θ３の関係はつぎのとおりである。
〔関係１〕首部２５ｂの吊り角度θ２は肩部２５ａの吊り角度θ３より小さい（θ２＜θ３）。
〔関係２〕首部２５ｂの吊り角度θ２は対比形態の吊り角度θ１より小さい（θ２＜θ１）。
〔関係３〕対比形態の吊り角度θ１は肩部２５ａの吊り角度θ３より小さい（θ１＜θ３）。
これによりθ２＜θ１＜θ３の関係が成り立つ。
【００３７】
また未収容部２５の吊り高さを対比すると、未収容部２５の一部に中間口絞りロープ２８を設けてくびれを設けた分だけ、本発明の未収容部２５の吊り高さＨ２が対比形態の吊り高さＨ１と比べて短くなる（Ｈ１＞Ｈ２）。
【００３８】
対比形態では袋本体２１の製作に要するネット生地の使用量を削減するため、未収容部２５の吊り高さＨ１を小さくすると、吊り角度θ１が大きくなって、吊りロープ２７を挿通した網目に引き裂きを生じるおそれがある。
【００３９】
対比形態では未収容部２５の吊り角度θ１と吊り高さＨ１が互いに影響し合う関係である。
これに対し本発明では、首部２５ｂの吊り角度θ２と未収容部２５の吊り高さＨ２が影響し合わないので、未収容部２５の吊り高さＨ２の影響を受けずに首部２５ｂの吊り角度θ２を小さくできる。
したがって、本発明では、未収容部２５の吊り高さＨ２を小さくしつつ、吊りロープ２７を挿通した首部２５ｂの吊り角度θ２を小さくできるので、袋本体２１の製作に要するネット生地の使用量を削減でき、さらに吊りロープ２７を挿通した網目の引き裂きも確実に抑止できる。
【００４０】
＜２＞未収容部のくびれについて
未収容部２５にくびれを形成する方法として、吊りロープ２７の吊上げ後に中間口絞りロープ２８を締め付ける方法が考えられる。
このくびれの形成方法は、吊上げ初期に吊りロープ２７を挿通した袋本体２１の網目に引き裂きの問題が生じることと、テンションがかかった未収容部２５の締付けに大きな締付力を必要とするといった問題を内包している。
【００４１】
そこで本発明では、吊上げ前に未収容部２５の一部に拡径不能に中間口絞りロープ２８を取り付けておき、吊上力を利用して未収容部２５の一部にくびれを形成するようにした。
したがって、本願発明ではくびれを形成するために中間口絞りロープ２８を大きな力で締め付ける必要がなくなり、さらに吊上げ初期において吊りロープ２７を挿通した網目に大きな引き裂き力が生じない。
【００４２】
＜３＞吊上げ時における中間口絞りロープの荷重負担について
図６は中詰材３０の充填後に中間口絞りロープ２８をきつく締め付けて、天端面を含めて中詰材３０の全体を袋本体２１で締め付けて構成した対比形態を示している。
この対比形態では、中詰材３０が邪魔になって作業員の力だけで中間口絞りロープ２８をきつく締め付けることが困難であるうえに、吊上げ時における中間口絞りロープ２８の拡径方へ向けた荷重負担が極めて大きくなる。
【００４３】
本発明では図３Ｂ(Ｃ)に示したように、吊上げ前は未収容部２５にテンションがかかっていないので中間口絞りロープ２８に拡径力は生じない。図３Ｂ(Ｄ)に示したように、吊りロープ２７を吊上げたときにはじめて中間口絞りロープ２８に拡径力が発生する。
吊りロープ２７を吊上げたときに、未収容部２５の肩部２５ａのネット生地の広がりに多少の余裕ができ、ネット生地の余裕によって図６の対比形態と比べて中間口絞りロープ２８の拡径方へ向けた荷重負担が小さくなる。
【００４４】
＜４＞中詰材の包持作用
土木工事用構造体１０の敷設状態を示した図７を参照しながら、袋本体２１による中詰材３０の包持作用について説明する。
【００４５】
土木工事用構造体１０を着床したときに中詰材３０群が水平方向に広がろうとする。
中間口絞りロープ２８が未収容部２５の肩部２５ａを構成するネット生地の拡張を一定範囲に制限するため、未収容部２５の肩部２５ａは中詰材３０の天端面の周縁部を被覆しながら弾性的に包持する。
このように本発明では、袋本体２１と中間口絞りロープ２８の組み合わせにより、袋本体２１の収容部２４と未収容部２５の肩部２５ａのネット生地の弾力を活かして、中詰材３０群の全体を包持することができる。
したがって、土木工事用構造体１０の製作時、転地時および敷設後において、袋本体２１の包持作用によって、中詰材３０の自由な動きを抑制できるので、中詰材３０に起因したネット生地の破れを効果的に軽減できる。
【００４６】
中間口絞りロープ２８は未収容部２５の肩部２５ａと協働して中詰材３０を包持するだけでなく、口絞りロープとしても機能する。
脱型時や転地時に天端面の中詰材３０が崩れようとしても、中詰材３０の天端面を覆う未収容部２５の肩部２５ａが中詰材３０の崩れ落ちを効果的に抑制する。
このように袋体２０は、未収容部２５の肩部２５ａが中詰材３０の崩れ落ちを効果的に抑止するので、中詰材３０の崩れ落ちに起因したネット生地の破れの問題も解消することができる。
【００４７】
＜５＞土木工事用構造体の屈撓性について
図６に例示したように、中詰材３０の全体を袋本体２１で締め付けた対比形態では、中詰材３０の締付け効果が大きいことから土木工事用構造体１０の屈撓性が失われ、敷設面の起伏に十分に追従することができない。
【００４８】
これに対して本発明では図７に示したように、袋本体２１の収容部２４と、中間口絞りロープ２８を取り付けた未収容部２５の肩部２５ａとの協働によって中詰材３０群の全体を弾力的に包持している。
そのため、土木工事用構造体１０の屈撓性を保持できて、敷設面の起伏に追従することができる。
【００４９】
＜６＞口絞りロープについて
既述したように中間口絞りロープ２８は袋本体２１に収容した中詰材３０のこぼれ落ちを規制するので、口絞りロープ２６の負担を著しく軽減できる。
そのため、口絞りロープ２６を安価な低強度ロープで代用することも可能であり、口絞りロープ２６を袋本体２１の網目に挿通するときの目飛ばし数を大幅に増やして口絞りロープ２６の取付作業と口絞り作業を簡易化できる。
【符号の説明】
【００５０】
１０・・・・土木工事用構造体
２０・・・・土木工事用袋体(袋体)
２１・・・・袋本体
２２・・・・袋本体の開口部
２３・・・・袋本体の底部
２４・・・・収容部
２５・・・・未収容部
２５ａ・・・未収容部の肩部
２５ｂ・・・未収容部の首部
２６・・・・口絞りロープ
２７・・・・吊りロープ
２８・・・・中間口絞りロープ
３０・・・・中詰材
４０・・・・型枠
【要約】
【課題】中詰材に起因した袋本体の損傷問題と、吊りロープの吊上げ時における袋本体の網目の引き裂き問題を同時に解消できる、土木工事用袋体および土木工事用構造体を提供すること。
【解決手段】メッシュ状の袋本体２１と、袋本体２１の開口部の近傍の網目に挿通して取り付けた口絞りロープと、口絞りロープの下方の網目に挿通して取り付けた無端構造の吊りロープ２７と、吊りロープ２７の下方の網目に挿通して取り付けた中間口絞りロープ２８とを具備し、中詰材３０を収容しない袋本体２１の上半の未収容部２５の一部に中間口絞りロープ２８を取り付け、吊りロープ２７の吊上げ時に、中間口絞りロープ２８を取り付けた未収容部２５の一部にくびれを形成するようにした。
【選択図】図１【図１】
0006589081.tif 000002
【図２】
0006589081.tif 000003
【図３Ａ】
0006589081.tif 000004
【図３Ｂ】
0006589081.tif 000005
【図４】
0006589081.tif 000006
【図５】
0006589081.tif 000007
【図６】
0006589081.tif 000008
【図７】
0006589081.tif 000009
【図８】
0006589081.tif 000010